【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
高圧空間から膜を通り低圧空間内への有効混合物の少なくとも有効材料成分の透過を実施するための方法であって、前記高圧空間は、前記膜を介して前記低圧空間との間において質量移動連通状態に配設される、方法において、
前記高圧空間内の有効材料成分の分圧と前記低圧空間内の前記有効材料成分の分圧との間の分圧差をより高い分圧差から低下させることであって、前記分圧差の前記低下は、少なくとも前記分圧差に応答して、および前記高圧空間に配置された有効材料成分の透過部分が、前記より高い分圧差を下回る低下した分圧差に少なくとも応答して前記膜を透過しており、前記低圧空間内に収集されている間に、前記高圧空間内に配置された有効材料成分の透過部分を前記高圧空間から前記膜を通り前記低圧空間内へと透過させることにより実施される低下を含む、前記低下が実施された後に、
前記低圧空間からの前記低圧空間内に配置された前記有効材料成分における有効材料成分排出部分の排出を実施することにより、前記低圧空間内の前記有効材料成分の前記分圧の低下を実施するステップであって、前記低圧空間内の前記有効材料成分の前記分圧の前記低下は、予備排出圧力からの低下である、ステップを
含み、
前記低圧空間の容積に対する前記高圧空間の容積の比率は、１超であることを特徴とする方法。
【請求項２】
前記高圧空間からの前記有効材料成分排出部分の排出を実施することにより、前記低圧空間内の前記有効材料成分の前記分圧の低下を実施する前に、前記高圧空間内の前記有効材料成分の前記分圧の低下が、前記高圧空間内に配置された前記有効材料成分の前記透過部分の前記透過により実施されることを特徴とする請求項１に記載の方法。
【請求項３】
前記低圧空間からの前記有効材料成分排出部分の排出を実施することにより、前記低圧空間内の前記有効材料成分の前記分圧の低下を実施する前に、前記高圧空間内の圧力の低下が、前記高圧空間内に配置された前記有効材料成分の前記透過部分の前記透過により実施されることを特徴とする請求項１に記載の方法。
【請求項４】
前記低圧空間から前記有効材料成分排出部分の排出を実施することにより、前記低圧空間内の前記有効材料成分の前記分圧の低下を実施する前に、前記低圧空間内の前記有効材料成分の前記分圧の上昇が、前記高圧空間内に配置された前記有効材料成分の前記透過部分の前記透過により実施されることを特徴とする請求項１に記載の方法。
【請求項５】
前記低圧空間からの前記有効材料成分排出部分の排出を実施することにより、前記低圧空間内の前記有効材料成分の前記分圧の低下を実施する前に、前記より低圧の圧力の上昇が、前記高圧空間内に配置された前記有効材料成分の前記透過部分の前記透過により実施されることを特徴とする請求項１に記載の方法。
【請求項６】
前記高圧空間内に配置された前記有効材料成分の前記透過部分の前記透過は、少なくとも１つの低速透過材料成分が、前記高圧空間から前記膜を通り前記低圧空間内に透過している間に、実施され、前記より低速で透過する成分のそれぞれについて、前記高圧空間内の前記より低速で透過する成分のモル分率に対する前記より低速で透過する成分の透過のモル透過率の比率が、前記高圧空間内の前記有効材料成分のモル分率に対する前記有効材料成分のモル透過率の比率未満であることを特徴とする請求項１に記載の方法。
【請求項７】
前記高圧空間内に配置された有効材料成分は、前記高圧空間内に配置された有効材料混合物内に含まれ、
前記高圧空間内に配置された有効材料成分の前記透過部分の前記透過は、少なくとも１つの低速透過材料成分が高圧空間から膜を通り透過している間に、実施され、前記より低速で透過する成分のそれぞれについて、前記高圧空間内の前記より低速で透過する成分のモル分率に対する前記より低速で透過する成分の透過のモル透過率の比率が、前記高圧空間内の前記有効材料成分のモル分率に対する前記有効材料成分のモル透過率の比率未満であることにより、前記有効材料混合物からの有効材料を多く含む分離生成物の分離が、実施され、前記有効材料を多く含む分離生成物は、前記低圧空間内に配置され、前記有効材料成分のモル濃度は、前記有効材料混合物内よりも前記有効材料を多く含む分離生成物内においてより高いことを特徴とする請求項６に記載の方法。
【請求項８】
前記分圧差の低下の前記実施は、前記低圧空間内の前記有効材料成分の前記分圧の上昇を実施することを含むことを特徴とする請求項１に記載の方法。
【請求項９】
前記分圧差の低下の前記実施は、前記高圧空間内の前記有効材料成分の前記分圧の低下を実施することを含むことを特徴とする請求項１に記載の方法。
【請求項１０】
前記低圧空間内の前記有効材料成分の前記分圧の低下を実施する前記ステップは、第１の透過有効材料成分低透過率示唆の感知に応答して実施されることを特徴とする請求項１に記載の方法。
【請求項１１】
前記高圧空間に配置された有効材料成分の前記透過部分の前記透過が実施されている間に、材料混合物源から前記高圧空間へ材料混合供給物を供給するステップをさらに含むことを特徴とする請求項１に記載の方法。
【請求項１２】
前記材料混合供給物を供給する前記ステップは、原動機により実施されることを特徴とする請求項１１に記載の方法。
【請求項１３】
前記材料混合供給物は、前記有効材料成分を含み、前記材料混合供給物を供給する前記ステップは、前記高圧空間内の前記有効材料成分の補給を実施することを特徴とする請求項１１または１２に記載の方法。
【請求項１４】
前記低圧空間内の前記有効材料成分の前記分圧の低下を実施する前記ステップの前に、前記材料混合供給物を供給する前記ステップを少なくとも一時的に停止するステップをさらに含むことを特徴とする請求項１１乃至１３のいずれか一項に記載の方法。
【請求項１５】
前記低圧空間から前記低圧空間内に配置された前記有効材料成分における有効材料成分排出部分の排出を実施することにより、前記低圧空間内の前記有効材料成分の前記分圧の低下を実施する前記ステップは、下流空間との間に流体連通を実現するステップを含み、前記下流空間内の下流空間圧力が、前記低圧空間内の低圧空間圧力未満であり、渦流空間圧力は、前記材料混合供給物を供給する前記ステップを停止する前記ステップの前に、前記高圧空間内に前記材料混合供給物を供給する前記ステップを実施しているものと同一の原動機により生成されることを特徴とする請求項１２乃至１４のいずれか一項に記載の方法。
【請求項１６】
前記低圧空間から前記低圧空間内に配置された前記有効材料成分における有効材料成分排出部分の排出を実施することにより、前記低圧空間内の前記有効材料成分の前記分圧の低下を実施する前記ステップは、下流空間との間に流体連通を実現するステップを含み、前記下流空間内の前記有効材料成分の分圧が、前記低圧空間内の前記有効材料成分の前記分圧未満であることを特徴とする請求項１に記載の方法。
【請求項１７】
前記低圧空間内の前記有効材料成分の前記分圧の低下を実施する前記ステップは、前記分圧差の上昇を実現し、これにより、前記高圧空間内に配置された有効材料成分の透過部分の透過が前記膜を通り前記低圧空間内へと実施されている際のモル率の上昇が実現されることを特徴とする請求項１に記載の方法。
【請求項１８】
前記材料混合供給物を供給する前記ステップが、少なくとも一時的に停止される後に、および前記予備排出圧力からの前記低圧空間内の前記有効材料成分の前記分圧の低下が、実施された後に、前記高圧空間内に配置された有効材料成分の透過部分の透過が、低圧空間内の前記有効材料成分の前記分圧が前記予備排出圧力未満におかれる間に、実施されることを特徴とする請求項１４または１５に記載の方法。
【請求項１９】
高圧空間から膜を通り低圧空間内への有効ガス混合物の少なくとも有効材料成分の透過を実施するための方法であって、前記高圧空間は、前記膜を介して前記低圧空間との間において質量移動連通状態に配設される、方法において、
前記高圧空間内の有効材料成分の分圧と前記低圧空間内の前記有効材料成分の分圧との間の分圧差をより高い分圧差から低下させることであって、前記高圧空間は、膜を介して低圧空間との間において質量移動連通状態におかれ、前記分圧差の前記低下は、大気圧超への前記低圧空間内の圧力の上昇が前記高圧空間内に配置された前記有効材料成分の透過部分の透過により実施されるように、少なくとも前記分圧差に応答して、および前記高圧空間に配置された有効材料成分の透過部分が、前記より高い分圧差を下回る低下した分圧差に少なくとも応答して前記膜を透過しており、前記低圧空間内に収集されている間に、前記高圧空間内に配置された有効材料成分の透過部分を前記高圧空間から前記膜を通り前記低圧空間内へと透過させることによって実施される低下を含む、前記低下が実施された後に、
前記低圧空間内に配置された前記有効材料成分からの有効材料成分排出部分の排出を実施することにより、前記低圧空間内の前記有効材料成分の前記分圧の低下を実施するステップ
を含むことを特徴とする方法。
【請求項２０】
前記低圧空間内の前記有効材料成分の前記分圧の低下を実施する前記ステップは、大気圧を超過する前記低圧空間内の圧力の感知に応答して実施されることを特徴とする請求項１９に記載の方法。
【請求項２１】
高圧空間から膜を通り低圧空間内への有効ガス混合物の少なくとも有効材料成分の透過を実施するための方法であって、前記高圧空間は、前記膜を介して前記低圧空間との間において質量移動連通状態に配設される、方法において、
前記高圧空間内の有効材料成分の分圧と前記低圧空間内の前記有効材料成分の分圧との間の分圧差をより高い分圧差から低下させることであって、前記高圧空間は、膜を介して低圧空間との間において質量移動連通状態におかれ、前記分圧差の前記低下は、少なくとも前記分圧差に応答して、および前記高圧空間に配置された有効材料成分の透過部分が、前記より高い分圧差を下回る低下した分圧差に少なくとも応答して前記膜を透過しており、前記低圧空間内に収集されている間に、前記高圧空間内に配置された有効材料成分の透過部分を前記高圧空間から前記膜を通り前記低圧空間内へと透過させることによって実施される低下を含む、前記低下が実施された後に、
前記低圧空間内に配置された前記有効材料成分からの有効材料成分排出部分の排出を実施することにより、前記低圧空間内の前記有効材料成分の前記分圧の低下を実施するステップであって、前記低圧空間内の前記有効材料成分の前記分圧の前記低下は、予備排出圧力からの低下である、ステップ
を含み、
材料混合供給物が、前記高圧空間に配置された有効材料成分の前記透過部分の前記透過が実施されている間に、材料混合物源から前記高圧空間へと供給され、前記材料混合供給物の前記供給は、前記低圧空間内の前記有効材料成分の前記分圧の低下を実施する前記ステップの前に、少なくとも一時的に停止され、
前記材料混合供給物の前記供給が、少なくとも一時的に停止された後に、および前記予備排出圧力からの前記低圧空間内の前記有効材料成分の前記分圧の前記低下が、実施された後に、前記高圧空間内に配置された有効材料成分の透過部分の透過が、低圧空間内の前記有効材料成分の前記分圧が前記予備排出圧力未満におかれる間に、および、前記低圧空間内の前記有効材料成分の前記分圧が前記予備排出圧力未満におかれる間に前記高圧空間内に配置された有効材料成分の前記透過部分の前記透過が実施されている間に、実施され、前記高圧空間内の前記有効材料成分の前記分圧の低下が、前記低圧空間内の前記有効材料成分の前記分圧が前記予備排出圧力未満におかれる間に実施される前記高圧空間に配置された有効材料成分の前記透過部分の前記透過に少なくとも応答して実施され、
前記方法は、前記高圧空間内の前記有効材料成分の前記分圧の前記低下が、前記低圧空間内の前記有効材料成分の前記分圧が前記予備排出圧力未満におかれる間に実施される前記高圧空間内に配置された有効材料成分の前記透過部分の前記透過に応答して実施された後に、予備圧力上昇圧力から高圧空間内の前記有効材料成分の前記分圧の上昇を実施するステップであって、これにより、前記高圧空間内に配置された有効材料成分の前記透過部分の前記透過が前記膜を通り前記低圧空間内へと実施されている際のモル率の上昇が実現され、前記高圧空間内の前記有効材料成分の前記分圧の前記上昇は、前記材料混合供給物の供給により実施される、ステップと、
前記高圧空間内の前記有効材料成分の前記分圧の上昇を実施するための前記材料混合供給物の前記供給の前に、前記高圧空間内に残留する材料の少なくとも一部分を排出するステップと
をさらに含むことを特徴とする方法。
【請求項２２】
前記材料混合供給物は、前記有効材料成分を含み、前記材料混合供給物の前記供給は、前記高圧空間内の前記有効材料成分の補給を実施することを特徴とする請求項２１に記載の方法。
【請求項２３】
前記高圧空間内の前記有効材料成分の前記分圧の上昇を実施する前記ステップのための前記材料混合供給物の前記供給は、有効材料成分低透過率指標の感知に応答して実施されることを特徴とする請求項２２に記載の方法。
【請求項２４】
前記高圧空間内に残留する材料の少なくとも一部分を排出する前記ステップと、その後の前記高圧空間内の前記有効材料成分の前記分圧の上昇を実施するために前記材料混合供給物を供給する前記ステップとの組合せが、第２の有効材料成分低透過率指標の感知に応答して実施されることを特徴とする請求項２１に記載の方法。